(57)【要約】【課題】  種々の動的な照明演出を行うことのできる照明装置を提供すること。【解決手段】  照明装置１は、光源２と、一端３で支持されていると共に光源２からの光（投射光）４を反射する可撓性の反射材５と、反射材５の反射面５ａに形状変化を生じさせるように当該反射材５に向かって送風する送風手段６と、送風手段６による送風を制御する制御手段７と、反射材５によって反射された光（反射光）８が通る開口９を有していると共に光源２、反射材５及び送風手段６を収容しているハウジング１０とを具備している。【選択図】図１
2005340083.tif 000002
【特許請求の範囲】
【請求項１】
光源と、一端で支持されていると共に光源からの光を反射する可撓性の反射材と、この反射材の反射面に形状変化を生じさせるように当該反射材に向かって送風する送風手段とを具備している照明装置。
【請求項２】
送風手段は、反射材の一端側からその他端側に向かって送風するようになっている請求項１に記載の照明装置。
【請求項３】
送風手段は、ファンと、このファンの回転により流動される気体を反射材に向かって案内する案内路とを具備している請求項１又は２に記載の照明装置。
【請求項４】
送風手段は、案内路に案内されて反射材に向かう気体の流動方向を調整する調整機構を具備している請求項３に記載の照明装置。
【請求項５】
送風手段による送風を制御する制御手段を更に具備しており、制御手段は、ファンの回転及び調整機構による送風方向の調整のうちの少なくとも一方を制御するようになっている請求項３又は４に記載の照明装置。
【請求項６】
反射材は、光を反射する性質を有するアルミ箔、布又は紙からなる請求項１から５のいずれか一項に記載の照明装置。
【発明の詳細な説明】
【技術分野】
【０００１】
本発明は、天井、床等の壁面を照らして種々の動的な照明演出を行う照明装置に関する。
【背景技術】
【０００２】
【特許文献１】実開平６−３３３０７号公報
【０００３】
例えば特許文献１においては、反射面の形状変化を生じ難い鏡等の反射板に反射された反射光により照らされるべき壁面を照らして照明演出を行う照明装置が提案されている。
【発明の開示】
【発明が解決しようとする課題】
【０００４】
ところで、斯かる照明装置では、光源若しくは反射板と照らされるべき壁面との間にフィルタを介在させたり、また、光源の光量を調節することによって照明演出に静的な変化を与え得るが、反射面の形状変化を生じ難い反射板に反射された反射光により壁面を照らすだけであるために、種々の動的な照明演出、例えば水面、炎、雲等を動的に表現する照明演出を行うことが困難である。
【０００５】
本発明は、前記諸点に鑑みてなされたものであり、その目的とするところは、種々の動的な照明演出を行うことのできる照明装置を提供することにある。
【課題を解決するための手段】
【０００６】
本発明の照明装置は、光源と、一端で支持されていると共に光源からの光を反射する可撓性の反射材と、この反射材の反射面に形状変化を生じさせるように当該反射材に向かって送風する送風手段とを具備している。
【０００７】
本発明の照明装置によれば、特に可撓性の反射材と、この反射材の反射面に形状変化を生じさせるように当該反射材に向かって送風する送風手段とを具備しているために、送風手段による送風に基づいて反射面の形状変化が生じている反射材からの反射光により天井、床等の壁面を照らすことで種々の動的な照明演出、例えば、水面、炎、雲等を動的に表現する照明演出を行うことができる。
【０００８】
本発明においては、送風手段は、反射材の一端側からその他端側に向かって送風するようになっていてもよい。
【０００９】
本発明においては、送風手段は、ファンと、このファンの回転により流動される気体を反射材に向かって案内する案内路とを具備していてもよい。
【００１０】
本発明においては、送風手段は、案内路に案内されて反射材に向かう気体の流動方向を調整する調整機構を具備していてもよく、斯かる送風手段によれば、調整機構による送風方向の調整に基づいて反射材の反射面の様々な態様の形状変化を生じさせることができ、而して、より種々の動的な照明演出を行い得る。
【００１１】
本発明においては、送風手段による送風を制御する制御手段を更に具備していてもよく、制御手段は、ファンの回転及び調整機構による送風方向の調整のうちの少なくとも一方を制御するようになっていてもよい。
【００１２】
本発明においては、反射材は、光を反射する性質を有するアルミ箔、布又は紙からなっていてもよい。
【発明の効果】
【００１３】
本発明によれば、種々の動的な照明演出を行うことのできる照明装置を提供し得る。
【発明を実施するための最良の形態】
【００１４】
次に、本発明の実施の形態の例を、図に示す例に基づいて更に詳細に説明する。尚、本発明はこれら例に何等限定されないのである。
【実施例】
【００１５】
図１から図４において、本例の照明装置１は、光源２と、一端３で支持されていると共に光源２からの光（投射光）４を反射する可撓性の反射材５と、反射材５の反射面５ａに形状変化を生じさせるように当該反射材５に向かって送風する送風手段６と、送風手段６による送風を制御する制御手段７と、反射材５によって反射された光（反射光）８が通る開口９を有していると共に光源２、反射材５及び送風手段６を収容しているハウジング１０とを具備している。
【００１６】
ハウジング１０は、傾斜壁２１を有した前壁２２と、前壁２２に連結された一対の側壁２３及び２４と、前壁２２並びに側壁２３及び２４に連結された頭壁２５及び底壁２６と、側壁２３及び２４、頭壁２５及び底壁２６に連結された後壁２７とを有しており、矩形状の開口９は、傾斜壁２１に設けられている。尚、開口９には、レンズ等が嵌め込まれていてもよい。
【００１７】
前壁２２と底壁２６との連結部に設けられた光源２は、ハロゲンランプ等からなっており、当該光源２の発光により生じた光４を反射材５に向かって投光させる凹面３１を有した反射鏡３２によって部分的に覆われている。
【００１８】
反射材５の一端３は、側壁２３及び２４に固定されていると共に当該側壁２３及び２４を橋絡している長尺の支持部材３５に着脱自在に装着されている。反射材５の他端３６は、本例では自由端として構成されている。斯かる反射材５は、ハウジング１０内において支持部材３５から垂れ下げられている。
【００１９】
反射材５は、本例では図３に示すように、光４を反射する性質を有する複数の短冊状のアルミ箔、布又は紙からなっている。尚、反射材５は、照らされるべき壁面を反射光８によって照らし得る程度の性質を有していればよく、例えば、斯かる性質と透光性とを有したセロファン等からなっていてもよい。
【００２０】
反射材５の一端３側からその他端３６側に向かってＢ方向に送風する本例の送風手段６は、ファン４１と、ファン４１の回転により流動される気体を反射材５に向かってＡ方向に案内する案内路４３と、案内路４３に案内されて反射材５に向かう気体の流動方向を調整する調整機構５１とを具備している。
【００２１】
ファン４１は、本例では、電動モータ等の作動により回転されて気体の流動を生じさせる複数の羽根を有したいわゆる横流ファンからなる。ファン４１は、回転により給気口４５及び４７から送風口４６に向かって気体を流動させるように案内路４３に配されている。
【００２２】
案内路４３は、側壁２３及び２４、頭壁２５並びに底壁２６の夫々の後壁２７側の部位と、後壁２７と、後壁２７及び反射材５間に配されて底壁２６並びに側壁２３及び２４に連結されていると共に底壁２６から支持部材３５の近傍まで伸びている内壁５５と、後壁２７及び傾斜壁２１間であって内壁５５よりも傾斜壁２１側に配されて頭壁２５に連結されていると共に頭壁２５から支持部材３５の近傍まで伸びている内壁５６とによって画されている。後壁２７のファン４１よりも底壁２６側の部位には給気口４５が、内壁５５のファン４１よりも底壁２６側の部位には給気口４７が夫々設けられている。
【００２３】
内壁５５は、反射材５及び後壁２７の夫々に対して間隔をもって配されており、凹曲面５６ａを有する内壁５６は、内壁５５に対して間隔をもって配されている。内壁５５の送風口４６を規定している端部４８は、一端３よりも後壁２７側に配されており、内壁５６の送風口４６を規定している端部４８は、一端３よりも傾斜壁２１側に配されている。内壁５５及び５６の夫々の端部４８は、側壁２３及び２４と協働して送風口４６を規定している。
【００２４】
調整機構５１は、内壁５５及び５６に軸４９ａを介してＲ方向に回転自在に連結されている一枚又は複数枚の羽根、本例では複数枚の羽根４９と、複数枚の羽根４９に夫々連結されていると共に当該複数枚の羽根４９をＲ方向に回転させる図４に示すような回転手段５０とを具備している。
【００２５】
回転手段５０は、特に図４に示すように、電動モータと、この電動モータの出力回転軸５２に固着された円板体５３と、羽根４９の夫々の一端に回転自在に連結された連結アーム５４と、連結アーム５４の一端と円板体５３とに回転自在に連結されている連結ロッド５７とを具備しており、電動モータの出力回転軸５２の回転により円板体５３を回転させ、この回転により連結ロッド５７及び連結アーム５４を介して複数枚の羽根４９をＲ方向に回転させるようになっており、従って、例えば複数枚の羽根４９に首振り運動をも行わせ得る。尚、回転手段５０の電動モータの作動は、制御手段７によって制御されるようになっている。
【００２６】
以上の送風手段６は、ファン４１の回転により気体に流動を生じさせて送風口４６から反射材５に向かって送風するようになっていると共に、ファン４１の回転速度の変化や調整機構５１による気体の流動方向の調整により送風口４６から流出される気体の流動に所望の変化を生じさせるようになっており、斯かる変化のある送風によって反射材５をその反射面５ａの様々な態様の連続的な形状変化をもってはためかせるようになっている。尚、送風手段６は、ファン４１の回転速度の変化により主に送風口４６からの送風の強弱を調整するようになっており、また、複数枚の羽根４９のＲ方向の回転により主に送風口４６からの送風の風向きを調整するようになっている。
【００２７】
制御手段７は、例えば、後壁２７に連結具２８を介して連結されたケース６１内に設けられていると共にファン４１及び調整機構５１に夫々電気的に接続されており、操作部（図示せず）の操作に基づいてファン４１及び調整機構５１の羽根４９を夫々回転駆動させる駆動回路を有していてもよい。
【００２８】
本例の照明装置１では、ファン４１の回転により反射材５に対する送風を開始することにより光源２からの光４が投光されている反射材５の反射面５ａに連続的な形状変化を生じさせ、即ち、反射材５をはためかせ、当該形状変化により光４の反射角θが連続的に変化される反射材５からの光（反射光）８を開口９を介して照射されるべき壁面に照射することで、当該壁面において水面、炎、雲等を動的に表現する照明演出を行うことができるようになっている。
【００２９】
以上の照明装置１によれば、光源２と、一端３で支持されていると共に光源２からの光（投射光）４を反射する可撓性の反射材５と、反射材５の反射面５ａに形状変化を生じさせるように当該反射材５に向かって送風する送風手段６とを具備しているために、送風手段６による送風に基づいて反射面５ａに形状変化が生じている反射材５からの光（反射光）８により天井、床等の壁面を照らすことで種々の動的な照明演出、例えば、水面、炎、雲等を動的に表現する照明演出を行うことができる。
【００３０】
照明装置１によれば、送風手段６は、案内路４３に案内されて反射材５に向かう気体の流動方向を調整する調整機構５１を具備しているために、調整機構５１による送風方向の調整に基づいて反射材５の反射面５ａの様々な態様の形状変化を生じさせることができ、而して、より種々の動的な照明演出を行い得る。
【図面の簡単な説明】
【００３１】
【図１】本発明の実施の形態の例の斜視説明図である。
【図２】図１に示す例の側断面説明図である。
【図３】図１に示す例の一部斜視説明図である。
【図４】図１に示す例の一部説明図である。
【符号の説明】
【００３２】
１  照明装置
２  光源
３  一端
４、８  光
５  反射材
５ａ  反射面
６  送風手段
７  制御手段
１０  ハウジング
【図１】
2005340083.tif 000003
【図２】
2005340083.tif 000004
【図３】
2005340083.tif 000005
【図４】
2005340083.tif 000006